(57)【特許請求の範囲】
【請求項１】
内容物を収納する充填空間を有し、口部に密封シートを貼着して該充填空間を液密状態に保持する容器本体と、該密封シートを覆い隠して容器本体の口部に固定保持されるオーバーキャップとを備えた容器であって、
前記オーバーキャップが、容器本体の口部に沿う環状周壁と、この環状周壁に一体連結してその内側に凹所を区画形成する底壁からなり、
前記底壁に、環状周壁の内側面に直結して設けられ、内容物の注出口を形成する貫通開口と、この貫通開口を両側から挟み込み、環状周壁の上方から下方に向けて傾斜した軌道を有する一対の起立片と、該貫通開口の縁部に振り下ろし可能に片持ち支持され、先端部分を該起立片の軌道に沿って摺動させて密封シートを切り開く開封刃を設け、
前記開封刃と貫通開口の縁部とを、その収縮により開封刃を後方へ向けて移動させる連結片を介して接続したことを特徴とするオーバーキャップ付き容器。
【請求項２】
前記開封刃は、密封シートに向かう刃先を有する刃部と、この刃部を保持し天面を開封時の押圧部とする操作片からなり、該操作片は、その下面に、刃部による密封シートの突き破りに際して該密封シートに空気導入孔を別途形成する穿孔ピンを備える、請求項1記載のオーバーキャップ付き容器。
【請求項３】
前記起立片は、開封刃の振り下ろし終端にて該開封刃に連係してその姿勢をそのまま維持する切欠部を有する請求項1または2記載のオーバーキャップ付き容器。
【発明の詳細な説明】
【技術分野】
【０００１】
本発明は、開封刃を押し込んで密封シートを切り開くことにより注出口を形成するオーバーキャップ付き容器に関するものであり、内容物のよりスムーズな注出を実現しようとするものである。
【背景技術】
【０００２】
コーヒーや紅茶等の飲料は、近年、内容物の味や風味を良好に維持するために無菌充填システムが採用されてきており、それに用いる容器としては、内容物を入れる本体部分をコップ状とし、その口部にフィルム状の密封シートを貼り付けるとともに、さらに該密封シートを保護するためにその外側にオーバーキャップを装着したものが一般的な構成になっている。
【０００３】
この種の容器は、容器の胴体にストローが備えつけられていて、該ストローを、オーバーキャップに形成されている孔から差し入れ、その先端部で密封シートを切り開くことで容器内の内容物を吸引するようにしている。
【０００４】
また、最近では、ウオーマーにより内容物が加温されるようになってきていることからストローの使用が困難で、オーバーキャップの押し下げ片を利用して密封シートをワンタッチで切り開き、該オーバーキャップに形成された飲み口から直接、内容物を飲むタイプの容器も提案されている（例えば、特許文献１参照）。
【特許文献１】特開2004−359314号公報
【０００５】
ところで、とくに、密封シートをワンタッチで切り開くタイプの容器は、押し下げ片のサイズを大きくすることで指の接触面積の拡大を図り簡易な操作を実現している反面、そのサイズアップが注出口を狭める原因になっており内容物のスムーズな注出ができないことが懸念されていた。
【発明の開示】
【発明が解決しようとする課題】
【０００６】
本発明の課題は、内容物の飛び散りをなくし、衛生的な開封を行うことができるだけでなく、注出口の拡大を図って内容物をスムーズに注出できる新規なオーバーキャップ付きの容器を提案するところにある。
【課題を解決するための手段】
【０００７】
本発明は、内容物を収納する充填空間を有し、口部に密封シートを貼着して該充填空間を液密状態に保持する容器本体と、該密封シートを覆い隠して容器本体の口部に固定保持されるオーバーキャップとを備えた容器であって、
前記オーバーキャップが、容器本体の口部に沿う環状周壁と、この環状周壁に一体連結してその内側に凹所を区画形成する底壁からなり、
前記底壁に、環状周壁の内側面に直結して設けられ、内容物の注出口を形成する貫通開口と、この貫通開口を両側から挟み込み、環状周壁の上方から下方に向けて傾斜した軌道を有する一対の起立片と、該貫通開口の縁部に振り下ろし可能に片持ち支持され、先端部分を該起立片の軌道に沿って摺動させて密封シートを切り開く開封刃を設け、
前記開封刃と貫通開口の縁部とを、その収縮により開封刃を後方へ向けて移動させる連結片を介して接続したことを特徴とするオーバーキャップ付き容器である。
【０００８】
上記の構成になるオーバーキャップ付き容器において、開封刃は、密封シートに向かう刃先を有する刃部と、この刃部を保持し天面を開封時の押圧部とする操作片からなるものが適用でき、該操作片は、その下面に、刃部による密封シートの突き破りに際して該密封シートに空気導入孔を別途形成する穿孔ピンを備えるのが望ましい。
【０００９】
また、前記起立片には、開封刃の振り下ろし終端にて該開封刃の先端部分に連係してその姿勢をそのまま維持する切欠部を設けるのが好ましい。
【発明の効果】
【００１０】
開封刃を押し込むと連結片が縮まるように変位し該開封刃自体がその後方へと移動することとなり、密封シートの切り開きが完了した状態では大きな注出口が形成されることになる。
【００１１】
密封シートが切り開かれると同時に空気導入孔が形成されるため内容物のスムーズな注出が可能となる。
【００１２】
開封刃の停止姿勢を保持する切欠部を設けることで内容物の飛散を伴う該開封刃の過度な押し込みを回避することが可能となるとともに注出口の開口サイズを大きくすることができる。
【発明を実施するための最良の形態】
【００１３】
以下、図面を用いて本発明をより具体的に説明する。
図1(a)(b)は本発明に従うオーバーキャップ付き容器の実施の形態を示した図であり、図2は開封刃の外観斜視図である。
【００１４】
図における1はコップ状の容器本体である。この容器本体1は内容物を収納する充填空間mを有している。また、2は容器本体1の口部1aに設けられたフランジ1b貼着され、充填空間mを液密状態に保持する密封シート(アルミ製のシート等)である。
【００１５】
また、3は密封シート2を覆い隠して容器本体1の口部1aに着脱自在に固定保持されるオーバーキャップである。このオーバーキャップ3は密封シート2の直上に位置する底壁3aと、この底壁3aの縁部に一体連結するとともに密封シート2を囲撓する環状周壁3bからなる。
【００１６】
4は底壁3aで環状周壁3ｂの内側面に直結して設けられた貫通開口である。この貫通開口4は密封シート2の切り開いた後において注出口を形成する。5は貫通開口4を環状周壁3bの直近で両側から挟み込むように底壁3aに設けられた一対の起立片である。この起立片5はこの実施の形態では三角形状をなすものを例として示してあり、その一辺には環状周壁3bの上方から下方に向けて傾斜した軌道5aが形成されている。
【００１７】
6はL型形状をなす開封刃である。この開封刃6は密封シート2に向かう刃先を有する刃部6aと、この刃部6aを一体的に保持しその天面を開封時の押圧部とする操作片6bからなり、その浮き上がりを防止すべく該開封刃6の刃部6aはその前面が環状周壁3bで凸部C１、C２によってアンダーカット係合している。そして操作片6bの先端部分の両側には起立片5の軌道5aに当接可能で、かつ、該軌道5aに沿って摺動する突起6cが設けられている。
【００１８】
7は開封刃6と貫通開口4の縁部とをつなぐ連結片である。この連結片7は幅狭片7aと、この幅狭片7aに一体的につながり弾性変形あるいは塑性変形により収縮可能な環状体7bからなり、開封刃6を貫通開口4の縁部で振り下ろし可能に片持ち支持する。
【００１９】
8は起立片5の下端に設けられた切欠部である。この切欠部8は開封刃6の振り下ろし終端にて該開封刃6の突起6cに連係してその振り下ろし姿勢をそのまま維持するストッパーとしての機能を有している。さらに、9は開封刃6の操作片6bに設けられた穿孔ピンである。この穿孔ピン9は図3に要部断面を拡大して示す如く、開封刃6の操作片6bをその厚さ方向において貫通する空気導入孔9a（穿孔ピン9の軸芯に沿う縦孔9a１とこの縦孔9a１の先端につながる横孔9a２にて構成される）を有しており、内容物の注出時に空気導入孔9aを通して容器本体1へ空気を供給することができるようになっている。そして10はオーバーキャップ3に被さるカバーである。
【００２０】
オーバーキャップ3に設けられた開封刃6、起立片5、連結片7は合成樹脂を用いた射出成形等により一体成形されており、容器の開封前においては開封刃6が上掲図1(a)(b)に示すような姿勢に保持されている。
【００２１】
操作片6bの天面に指をあてがい、開封刃6を振り下ろすべくそれを押し込むと、操作片6bの先端両側に設けられた突起6cが起立片5の軌道5aに当接するとともにそれに沿って下方へと摺動していき、刃部6aは徐々に密封シート2へと近づくとともに連結片7の環状体7bが収縮して開封刃6そのものがその後方へと移動する。
【００２２】
開封刃6の先端部分に設けた突起6cが切欠部8に入り込んで連係すると操作片6bを押し込んでもそれ以上開封刃6は動くことはなくなり、その状態を図4(a)(b)に示す如く、内容物を注出する開口面積の大きな注出口が形成される。
【００２３】
図5(a)(b)は本発明にしたがうオーバーキャップ付き容器の他の実施の形態を示したものである。上掲図1(a)(b)では連結片7は幅狭片7aと環状体7bにて構成されたものを適用した場合を例として示したが、該連結片7は図示の如き波形あるいは蛇腹状をなすものを適用することが可能であり、この場合も図6(a)(b)に示すように開封刃6を後退させながら振り下ろすことができる。
【００２４】
連結片7は開封刃6を後退させることができる機能を有するものならば図示以外のものを適用することができるのはいうまでもない。
【産業上の利用可能性】
【００２５】
内容物の飛び散りを引き起こすことなしに容器の開封が可能であり、しかも注出口の拡大により内容物をスムーズに注出できるオーバーキャップ付きの容器が提供できる。
【図面の簡単な説明】
【００２６】
【図１】(a)(b)は本発明にしたがうオーバーキャップ付き容器の実施の形態を示した図である。
【図２】図1に示した容器の要部の外観斜視図である。
【図３】穿孔ピンの要部断面を拡大して示した図である。
【図４】(a)(b)は図1に示した容器の開封要領を示した図である。
【図５】(a)(b)は本発明にしたがう容器の他の実施の形態を示した図である。
【図６】(a)(b)は図５(a)(b)に示した容器の開封状態を示した図である。
【符号の説明】
【００２７】
1   容器本体
1a  口部
1b  フランジ
2   密封シート
3   オーバーキャップ
3a  底壁
3b  環状周壁
4   貫通開口
5   起立片
5a  軌道
6   開封刃
6a  刃部
6b  操作片
6c  突起
7   連結片
7a  幅狭片
7b  環状片
8   切欠部
9   穿孔ピン
10  カバー
m   充填空間
【図１】
0005059641.tif 000002
【図２】
0005059641.tif 000003
【図３】
0005059641.tif 000004
【図４】
0005059641.tif 000005
【図５】
0005059641.tif 000006
【図６】
0005059641.tif 000007